(57)【要約】【課題】移動する人物に対してその要求に合った情報表示を行うことのできる移動経路対応情報表示装置を得る。【解決手段】移動経路上の複数の場所に複数の表示装置３００を設置する。表示制御端末２００は、これら表示装置３００の表示を制御し、表示要求端末１００は、この表示制御端末２００に対して表示要求を行う。表示要求端末１００では、移動経路推測部１０４で移動する人物の移動経路を推測する。表示制御端末２００では自律表示スケジュール作成部２０１で表示装置３００の表示スケジュールを作成し、表示制御部２０７は作成された表示スケジュールと移動経路推測部１０４で推測された移動経路に基づいて表示装置３００の表示制御を行う。【選択図】図１
2010276700.tif 000002
【特許請求の範囲】
【請求項１】
移動経路上の複数の場所に設けられ、それぞれが情報を表示する複数の表示装置と、
前記複数の表示装置を制御する表示制御端末と、
前記表示制御端末に対して表示要求を行う表示要求端末とを備え、
前記表示要求端末は、
移動する人物が有する情報記録媒体から読み取られた情報に基づき、当該移動する人物の場所と通過時刻と目的地の情報を取得する通信部と、
情報表示要求を行うクライアントに対し、情報表示の経路枠を設定する指定経路枠管理部と、
前記表示装置における情報の表示結果ログを元に前記クライアントの情報表示料を計算する分配広告料計算部と、
前記通信部で取得した移動する人物の場所と通過時刻と目的地の情報に基づいて前記移動する人物の移動経路を推測する移動経路推測部と、
前記移動経路推測部に設けられ、推測した移動経路における複数の表示装置のうち、移動方向に対面する表示装置を選択する対面表示装置選択部と、
前記移動経路推測部に設けられ、推測した移動経路における複数の表示装置に対する情報表示の表示方向データを生成する表示方向データ生成部と、
前記移動経路推測部に設けられ、推測した移動経路における複数の表示装置に対する情報表示の表示タイミングデータを生成する表示タイミングデータ生成部と、
前記通信部が順次取得する情報に合わせて、前記指定経路枠管理部で管理する情報のデータを、前記表示タイミングデータと共に、前記表示制御端末に配信するリアルタイム配信部と、
前記クライアントが表示要求した情報のデータを、前記表示方向データと共に、前記表示制御端末に配信する蓄積データ配信部とを有し、
前記表示制御端末は、
前記リアルタイム配信部から配信される情報の表示スケジュールを作成する自律表示スケジュール作成部と、
前記自律表示スケジュール作成部が作成した表示スケジュールに基づいて、前記移動経路推測部で推測した移動経路上の表示装置に対して、前記表示方向データの表示方向で情報表示制御を行う表示制御部を有することを特徴とする移動経路対応情報表示装置。
【請求項２】
移動する人物を認識する顔認識画像センサと、前記顔認識画像センサの認識結果に基づいて、表示装置の前を移動する人物を追尾するように表示座標を計算するターゲット座標計算部とを備え、
表示制御部は、前記ターゲット座標計算部における計算結果に基づいて、前記表示装置で表示する情報の表示方向を制御することを特徴とする請求項１記載の移動経路対応情報表示装置。
【請求項３】
表示装置を表示方向可変機能付き表示機とし、かつ、表示タイミングデータと表示方向データとに基づいて、移動する人物を追尾するよう前記表示方向可変機能付き表示機の表示方向をいずれかの方向に制御する表示方向制御部を備えたことを特徴とする請求項１記載の移動経路対応情報表示装置。
【請求項４】
表示装置を、任意の方向への表示を行うと共に鏡に反射させて前記任意の方向とは異なる方向への表示を行う双方向表示装置、または、透過型表示装置とすると共に、
コンテンツを反転したイメージに処理する反転イメージ処理部を備え、
表示制御部は、表示タイミングデータと表示方向データに基づいて、前記反転イメージ処理部が出力する反転イメージか、そのままの表示かを選択してコンテンツの表示制御を行うことを特徴とする請求項１記載の移動経路対応情報表示装置。
【請求項５】
移動する人物の出口改札を識別する改札ＩＤと、その時刻と出発地の情報を取得する改札システムを備え、
移動経路推測部は、前記改札システムからの情報を蓄積し、これら蓄積情報に基づいて移動経路を推測することを特徴とする請求項１記載の移動経路対応情報表示装置。
【請求項６】
移動する人物の出口改札を識別する改札ＩＤと、その時刻と出発地の情報を取得する改札システムを備え、
移動経路推測部は、反対方向の経路枠の表示のログに基づいて目的地の出口改札を算出するための重み付けを行って移動経路を推測することを特徴とする請求項１記載の移動経路対応情報表示装置。
【請求項７】
表示装置の表示内容の解像度を制御する拡大縮小処理部を備え、
表示制御部は、表示タイミングデータと表示方向データとに基づいて、前記表示装置に対して移動する人物が遠い場合は拡大表示を行い、近づいた場合は縮小表示で情報量を多くするよう制御することを特徴とする請求項１記載の移動経路対応情報表示装置。
【請求項８】
移動する人物の情報記録媒体に含まれる情報を読み取ることにより、当該移動する人物の場所と通過時刻と目的地の情報を取得すると共に、読み取った情報の見返りとしての情報料の還元データを前記情報記録媒体に対して送信する情報料還元装置を備えたことを特徴とする請求項１記載の移動経路対応情報表示装置。
【請求項９】
情報料還元装置は、情報の提供度に応じて還元量が異なるよう設定されていることを特徴とする請求項８記載の移動経路対応情報表示装置。
【請求項１０】
情報料還元装置は、情報の提供度に応じた複数の情報読取部を有することを特徴とする請求項９記載の移動経路対応情報表示装置。
【請求項１１】
複数の情報読取部は、それぞれどのクライアントに情報を渡すかを示すことを特徴とする請求項１０記載の移動経路対応情報表示装置。
【請求項１２】
情報料還元装置は、
移動経路を選択するための表示部を備え、選択された移動経路を移動経路推測部に送信することを特徴とする請求項１０記載の移動経路対応情報表示装置。
【請求項１３】
分配広告料計算部は、経路枠の表示のログを元に情報表示料を計算すると共に、少なくとも表示装置の表示エリアの大きさを含む当該表示装置の条件に基づいて、前記情報表示料の重み付けを行うことを特徴とする請求項１記載の移動経路対応情報表示装置。
【請求項１４】
表示制御端末は、表示装置に表示するコンテンツを合成して表示させることを特徴とする請求項１記載の移動経路対応情報表示装置。
【請求項１５】
表示制御端末は、別々のコンテンツにそれぞれ対応したキャラクタを合成多重化して一つの画面として表示させることを特徴とする請求項１記載の移動経路対応情報表示装置。
【発明の詳細な説明】
【技術分野】
【０００１】
本発明は、移動する経路上にその経路に応じた表示を行う移動経路対応情報表示装置に関する。
【背景技術】
【０００２】
従来、人物が移動する経路上の表示装置で表示を行う装置として、例えば、駅の改札機から改札情報を受信し、この改札情報に対応して予め用意した配信情報とその配信先を選択し、その配信情報を配信先に送信するものがあった（例えば、特許文献１参照）。
【先行技術文献】
【特許文献】
【０００３】
【特許文献１】特許第３５７７０６８号公報
【発明の概要】
【発明が解決しようとする課題】
【０００４】
上記従来の装置では、改札通過時間と目的地情報を使い、駅構内、列車内の映像装置（電子広告等）にコンテンツと情報を配信している。しかしながら、近年では、場所と時間とをターゲットとする従来の広告枠とは違う更なる価値を求める動きがあり、例えば、出発点と目的地を結ぶ経路上に、人の移動につれ、異なる場所で、関係する情報を連続して見る、新しい情報表示、例えば移動経路対象の広告枠、といった商品への要望があった。
【０００５】
この発明は上記のような課題を解決するためになされたもので、移動する人物に対してその要求に合った情報表示を行うことのできる移動経路対応情報表示装置を得ることを目的とする。
【課題を解決するための手段】
【０００６】
この発明に係る移動経路対応情報表示装置は、移動経路上の複数の場所に設けられ、それぞれが情報を表示する複数の表示装置と、複数の表示装置を制御する表示制御端末と、表示制御端末に対して表示要求を行う表示要求端末とを備え、表示要求端末は、移動する人物が有する情報記録媒体から読み取られた情報に基づき、移動する人物の場所と通過時刻と目的地の情報を取得する通信部と、情報表示要求を行うクライアントに対し、情報表示の経路枠を設定する指定経路枠管理部と、表示装置における情報の表示結果ログを元に前記クライアントの情報表示料を計算する分配広告料計算部と、通信部で取得した移動する人物の場所と通過時刻と目的地の情報に基づいて移動する人物の移動経路を推測する移動経路推測部と、移動経路推測部に設けられ、推測した移動経路における複数の表示装置のうち、移動方向に対面する表示装置を選択する対面表示装置選択部と、移動経路推測部に設けられ、推測した移動経路における複数の表示装置に対する情報表示の表示方向データを生成する表示方向データ生成部と、移動経路推測部に設けられ、推測した移動経路における複数の表示装置に対する情報表示の表示タイミングデータを生成する表示タイミングデータ生成部と、通信部が順次取得する情報に合わせて、指定経路枠管理部で管理する情報のデータを、表示タイミングデータと共に、表示制御端末に配信するリアルタイム配信部と、クライアントが表示要求した情報のデータを、表示方向データと共に、表示制御端末に配信する蓄積データ配信部とを有し、表示制御端末は、リアルタイム配信部から配信される情報の表示スケジュールを作成する自律表示スケジュール作成部と、自律表示スケジュール作成部が作成した表示スケジュールに基づいて、移動経路推測部で推測した移動経路上の表示装置に対して、表示方向データの表示方向で情報表示制御を行う表示制御部を有するものである。
【発明の効果】
【０００７】
この発明の移動経路対応情報表示装置は、移動経路上の複数の場所に設けられた複数の表示装置と、これら表示装置の表示を制御する表示制御端末と、表示制御端末に対して表示要求を行う表示要求端末を備え、移動経路上の表示装置への情報表示を、移動する人物の移動に応じて行うようにしたので、移動する人物に対して、よりきめ細かい情報提供を行うことができると共に、クライアントにとって、広告効果を高めることができる。
【図面の簡単な説明】
【０００８】
【図１】この発明の実施の形態１による移動経路対応情報表示装置を示す構成図である。
【図２】この発明の実施の形態１による移動経路対応情報表示装置の表示装置と情報料還元装置の設置例を示す説明図（その１）である。
【図３】この発明の実施の形態１による移動経路対応情報表示装置の表示装置と情報料還元装置の設置例を示す説明図（その２）である。
【図４】この発明の実施の形態１による移動経路対応情報表示装置の表示装置と情報料還元装置の設置例を示す説明図（その３）である。
【図５】この発明の実施の形態１による移動経路対応情報表示装置の表示装置と情報料還元装置の設置例を示す説明図（その４）である。
【図６】この発明の実施の形態１による移動経路対応情報表示装置の表示装置と情報料還元装置の設置例を示す説明図（その５）である。
【図７】この発明の実施の形態１による移動経路対応情報表示装置の表示装置と情報料還元装置の設置例を示す説明図（その６）である。
【図８】この発明の実施の形態１による移動経路対応情報表示装置の表示装置と情報料還元装置の設置例を示す説明図（その７）である。
【図９】この発明の実施の形態１による移動経路対応情報表示装置の表示装置と情報料還元装置の設置例を示す説明図（その８）である。
【図１０】この発明の実施の形態１による移動経路対応情報表示装置の表示装置と情報料還元装置の設置例を示す説明図（その９）である。
【図１１】この発明の実施の形態１による移動経路対応情報表示装置の表示装置と情報料還元装置の設置例を示す説明図（その１０）である。
【図１２】この発明の実施の形態１による移動経路対応情報表示装置の表示方向可変機能つき表示機を示す説明図である。
【図１３】この発明の実施の形態１による移動経路対応情報表示装置の左右反転表示機を示す説明図である。
【図１４】この発明の実施の形態１による移動経路対応情報表示装置の透過型双方向表示機を示す説明図である。
【図１５】この発明の実施の形態１による移動経路対応情報表示装置の表示例を示す説明図（その１）である。
【図１６】この発明の実施の形態１による移動経路対応情報表示装置の表示例を示す説明図（その２）である。
【図１７】この発明の実施の形態１による移動経路対応情報表示装置の表示例を示す説明図（その３）である。
【図１８】この発明の実施の形態１による移動経路対応情報表示装置の表示例を示す説明図（その４）である。
【図１９】この発明の実施の形態１による移動経路対応情報表示装置の表示例を示す説明図（その５）である。
【図２０】この発明の実施の形態１による移動経路対応情報表示装置の表示例を示す説明図（その６）である。
【図２１】この発明の実施の形態１による移動経路対応情報表示装置の表示例を示す説明図（その７）である。
【図２２】この発明の実施の形態１による移動経路対応情報表示装置の表示要求端末によるデータ準備処理を示すフローチャートである。
【図２３】この発明の実施の形態１による移動経路対応情報表示装置の表示要求端末によるデータ準備処理のステップＳＴ２で用いるデータの詳細を示す説明図である。
【図２４】この発明の実施の形態１による移動経路対応情報表示装置の表示要求端末によるデータ準備処理のステップＳＴ３〜ＳＴ６で用いるデータの詳細を示す説明図である。
【図２５】この発明の実施の形態１による移動経路対応情報表示装置の表示要求端末によるリアルタイム処理を示すフローチャートである。
【図２６】この発明の実施の形態１による移動経路対応情報表示装置の自律表示処理を示すフローチャートである。
【図２７】この発明の実施の形態１による移動経路対応情報表示装置の想定するビジネスモデルの情報の流れを示す説明図である。
【図２８】この発明の実施の形態１による移動経路対応情報表示装置の想定するビジネスモデルの費用の流れを示す説明図である。
【図２９】この発明の実施の形態１による移動経路対応情報表示装置の情報料還元装置の操作パネルを示す説明図である。
【発明を実施するための形態】
【０００９】
実施の形態１．
図１は、この発明の実施の形態１による移動経路対応情報表示装置を適用したシステムの構成図である。
図１に示すシステムは、表示要求端末１００、表示制御端末２００、表示装置３００、改札システム４００、情報料還元装置５００、広告・情報表示クライアント６００、設置場所地権者７００を備えている。
表示要求端末１００は、表示要求の処理を行うための端末であり、表示制御端末２００は、表示要求端末１００からの表示要求に基づいて表示装置３００への表示制御を行うための端末である。表示装置３００は、移動する人物の移動経路に沿って複数の場所に設けられ、情報表示を行うためのＬＣＤ等のディスプレイである。また、表示制御端末２００はそれぞれの表示装置３００に対応して同一の場所に設置されるか、あるいは表示装置３００とは別の場所に設置され、有線または無線接続される。また、表示制御端末２００は１台の表示装置３００をそれぞれ制御するが、１台の表示制御端末２００が複数台の表示装置３００を制御するよう構成してもよい。更に、表示要求端末１００は複数設置され、それぞれの表示要求端末１００は表示制御端末２００とは非同期に動作する。また、表示要求端末１００と表示制御端末２００とはネットワークを介して接続されるが、必ずしも全てが同一のネットワークでなくてもよい。尚、表示要求端末１００と表示制御端末２００とはそれぞれ複数台設置されるのが一般的であるが、単数のシステムであっても同一の動作が可能である。
【００１０】
改札システム４００は、鉄道の駅の自動改札システムであり、例えば、改札ＩＤ、通過時刻、目的地といった情報を表示要求端末１００に送信する。情報料還元装置５００は、移動する人物が有する個人情報記録媒体からその人物の個人情報を読み取ると共に、情報提供を行ったことへの見返りとして情報料を還元する装置であり、表示要求端末１００に対して、機器ＩＤや操作時刻、目的地といった情報を通知する。即ち、移動する人物は、自分の情報を提供することで、この情報に対して情報料を得ることができる。情報料還元装置５００とは、例えばＩＣカード定期券を非接触リーダライタにかざすことによって、非接触リーダライタ機器ＩＤによる場所の情報、通過時刻の情報、定期券情報による目的地情報の３つをシステムに通信することができるものである。同時に情報の見返りとして、ＩＣカードに対し、情報ポイントの還元を受けることができるシステムである。このシステムにおいては個人情報のレベルを指定することが可能である。交通システムが一般的に使用するレベルであるところの場所、時刻、目的地の３種に限って、個人情報をなるべく使わない場合と、より積極的にカードＩＤ、これに登録されている年齢、性別などの個人の属性を提供する場合とがあり、このレベルに応じて情報料の還元量が変化する。
【００１１】
広告・情報表示クライアント６００は、情報表示要求を行うクライアントであり、経路、広告費用、コンテンツ、時間帯といった情報を表示要求端末１００に通知し、また、表示要求端末１００からは、表示装置リスト、表示面積・回数・時間、課金情報といった情報を得る。設置場所地権者７００は、表示装置３００を設置している場所の地権者であり、表示要求端末１００から、表示装置リスト、表示面積・回数・時間、使用料、といった情報を得る。
【００１２】
次に、表示要求端末１００と表示制御端末２００の詳細構成について説明する。
表示要求端末１００は、通信部１０１、指定経路枠管理部１０２、分配広告料計算部１０３、移動経路推測部１０４、リアルタイム配信部１０５、蓄積データ配信部１０６を備えている。
通信部１０１は、情報料還元装置５００から、機器ＩＤ、操作時刻、目的地、また個人属性情報などを得る。また、既存の改札システム４００から、同様の情報として、改札ＩＤ、通過時刻、目的地、また個人属性情報などを得てもよい。指定経路枠管理部１０２は、出発地点から目的地までの経路を、表示スケジュールの枠として管理する。従来の情報表示、広告表示のスケジュール管理は、時間と表示機を管理するものであったが、本発明の移動経路対応情報表示装置では、指定経路枠管理部１０２により、出発地点から目的地までの経路を指定して、経路上の表示装置３００に、移動する人物が通行するタイミングに合わせて、情報を表示するものである。また、広告・情報表示クライアント６００に指定経路枠が売れると、コンテンツと時間帯の条件がクライアントＩＤと共に指定経路枠管理部１０２に登録されるよう構成されている。
【００１３】
分配広告料計算部１０３は、指定経路枠管理部１０２に登録されたクライアントＩＤからの情報表示料である広告費、情報表示料金を、後述する表示結果ログによって、設置場所地権者７００に分配するための計算を行う。また、分配広告料計算部１０３は、後述する表示結果ログによって、広告・情報表示クライアント６００の広告費、情報表示料金を適正な値に補正したり、新規料金の設定を行う。
【００１４】
移動経路推測部１０４は、通信部１０１から移動する人物の場所と通過時刻と目的地を知ることで移動経路を推測する機能を有し、対面表示装置選択部１０７、表示方向データ生成部１０８、表示タイミングデータ生成部１０９を備えている。この移動経路推測部１０４は、リアルタイム処理によって毎回推測するほか、広告・情報表示クライアント６００に指定経路枠が売れた時点で予め推測し、結果をデータとして保存する方法をとる。移動経路推測に関しては、時間帯によって変化する場合もあり、表示装置３００の総数など、指定経路枠の性格にあった方法を選択できる。また、例えば目的地の改札が複数ある場合、網羅的に経路を推測する／選択的に経路を推測する、の２つの方法を選択できる。この選択は分配広告料計算部１０３の計算に反映される。選択的に目的地の改札を推測する場合に、個人情報をなるべく使わずに推測するためには、反対方向の帰りの時間帯の指定経路枠が売れていた場合、表示のログにより、どの改札ＩＤから一番多く入場しているかが判別できる。これを重み付けとして目的地の改札を選択する。
【００１５】
対面表示装置選択部１０７は、複数の移動経路に備える複数の表示装置３００のうち移動方向に対面する表示装置３００を選択する。後述する登録済み表示装置リストから、表示装置の視野角と向きによる表示エリアを知り、移動する人物に対面する表示装置３００を選択する。後述する表示方向可変機能つき表示機、鏡面反射兼用表示装置などに対してもその表示エリアと、人物の移動方向が対面するかを調べ、対面する条件を算出する。また、表示方向データ生成部１０８は、移動経路上の複数の表示装置３００に対する情報表示の表示方向データを生成する。表示方向データによって、表示装置３００の前を通過する人物に対し、同じ方向に画像を移動させることが可能になる。速度を調整することによって、歩きながらでも非常に読みやすい表示になる。顔認識画像センサ付き表示装置の場合、顔の移動に合わせて表示方向を変化させる。表示方向については後述する図１５〜図２０で、表示装置の画面割りとクロール、スクロール、画像拡大縮小機能について説明する。更に、表示タイミングデータ生成部１０９は、移動経路上の複数の表示装置３００に対する情報表示の表示タイミングデータを生成する。この生成方法としては、人物の歩行速度、例えば電車の運行情報などから、リアルタイム処理で毎回計算する方法と、時間枠を広く取って予め用意されたデータの時刻をずらして使用する方法がある。
【００１６】
リアルタイム配信部１０５は、通信部１０１が得る、場所の情報、操作した時刻の情報、定期券情報による目的地情報の３つに合わせて、指定経路枠管理部１０２から得られるコンテンツＩＤを、表示タイミングデータと共に、経路上の表示制御端末２００に配信する。蓄積データ配信部１０６は、広告・情報表示クライアント６００から送られるコンテンツを、表示方向データと共に、予め経路上の表示制御端末２００に配信する。
【００１７】
表示制御端末２００は、自律表示スケジュール作成部２０１、ターゲット座標計算部２０２、顔認識画像センサ２０３、クロール表示制御部２０４、反転イメージ処理部２０５、拡大縮小処理部２０６、表示制御部２０７、表示方向制御部２０８、表示結果ログ作成部２０９、表示結果アップロード部２１０を備えている。
【００１８】
自律表示スケジュール作成部２０１は、複数の表示要求端末１００から個別にリアルタイム配信される表示タイミングデータを整理し、時分割、画面分割、画面合成などの方法で効率的に情報を表示するため、表示スケジュールをリアルタイムに作成する機能部であり、時分割コンテンツ表示スケジュール部２１１、画面分割合成コンテンツ表示スケジュール部２１２、優先度加味部２１３を備えている。時分割コンテンツ表示スケジュール部２１１は、経路と表示タイミングが重なる場合に、例えば時間を区切って、全てのコンテンツを少しずつ表示するスケジュールを作成する。画面分割合成コンテンツ表示スケジュール部２１２は、経路と表示タイミングが重なる場合に、例えば画面を区切って、全てのコンテンツを表示面積を区切って表示するスケジュールを作成する。また、例えば各コンテンツをキャラクタで作成し、一つの画面に合成多重化するスケジュールを作成する。キャラクタ合成多重化については図１６を参照して後述する。優先度加味部２１３は、例えば広告・情報料を高く設定したクライアントの広告、情報を優先して表示するスケジュールを作成する。
【００１９】
ターゲット座標計算部２０２は、顔認識画像センサ２０３の測定する座標値から、表示装置３００の前を移動する人物を追尾するように表示座標を計算し、表示方向制御部２０８に表示方向を制御させる。すなわち、ターゲット座標とは、例えば、１台の表示装置３００の前を移動する人物がいた場合、その表示装置３００から見た人物の３次元座標値である。顔認識画像センサ２０３は、例えばカメラにより、測定範囲にある人物の顔の位置を測定し、座標値をターゲット座標計算部２０２に出力する。尚、ここでは、顔認識画像センサ２０３は表示制御端末２００の構成としているが、表示装置３００側に設けられていてもよい。クロール表示制御部２０４は、表示要求端末１００における表示方向データ生成部１０８が作成した表示方向、およびターゲット座標計算部２０２の出力する表示座標に合わせて、また同時に表示装置３００の特性に合わせてコンテンツをクロール表示制御する。反転イメージ処理部２０５は、表示方向データ生成部１０８が作成した表示方向、およびターゲット座標計算部２０２の出力する表示座標に合わせて、また、表示装置３００の特性に合わせてコンテンツを反転イメージ処理する。拡大縮小処理部２０６は、表示方向データ生成部１０８が作成した表示方向、およびターゲット座標計算部２０２の出力する表示座標に合わせて、また表示装置３００の特性に合わせてコンテンツを拡大縮小処理する。この拡大縮小処理としては、主に、人物の移動方向に正対する表示装置３００を使用し、遠方に対しては拡大表示で情報表示を行い、近距離になると画面を縮小して細かい情報表示を行う。
【００２０】
表示制御部２０７は、蓄積データ配信部１０６より得る、コンテンツなどの蓄積データを表示装置３００に表示する。また、リアルタイム配信部１０５より得る、表示タイミングデータなどのリアルタイム配信データに従って自律表示スケジュール作成部２０１が作成する表示スケジュールで、表示装置３００への表示を制御する。更に、ターゲット座標計算部２０２で計算された座標に、クロール表示、または反転イメージ、または拡大縮小して、表示装置３００の表示制御を行う。表示方向制御部２０８は、表示装置３００のうち、表示の向きを制御できる表示方向可変機能つき表示機を、顔認識画像センサ２０３とターゲット座標計算部２０２の出力する情報に従って、表示装置３００の前を移動する人物を追尾するように制御する。
【００２１】
表示結果ログ作成部２０９は、表示装置３００に表示したコンテンツについて、表示面積、表示回数、表示時間など、詳細な情報を整理し、これら情報をまとめたログデータを作成する。表示結果アップロード部２１０は、表示結果ログ作成部２０９のまとめた表示結果ログを、表示休止時間など、システムに負荷をかけないように制御しつつ、表示要求端末１００にアップロードする。
【００２２】
次に図２〜図１１を用いて表示装置３００と情報料還元装置５００の設置例を説明する。
図２は、改札システム４００における入り口改札に床面表示機を設置した例である。移動する人物は情報記録媒体としてのＩＣカード１を有し、例えば定期券サービスを実現する。ＩＣカード１を改札の非接触リーダライタにかざすことで、改札ＩＤ、通過時刻、目的地、といった情報が移動経路対応情報表示装置に送信される。移動する人物の視線方向には床面表示機３０１があり、この人物の経路が広告・情報表示クライアント６００に販売されていた場合に、コンテンツが表示される。
【００２３】
図３は、情報料還元装置５００を非接触リーダライタ機器によって構成し、設置した例である。
情報料還元装置５００を構成する非接触リーダライタ機器２は、底面表示機３０１の近傍に設置されており、移動する人物が持つＩＣカード１を非接触リーダライタにかざすことで、非接触リーダライタ機器２の機器ＩＤ、通過時刻、目的地、といった情報が移動経路対応情報表示装置の表示要求端末１００に送信される。同時に情報の見返りとして、ＩＣカード１に対し、情報料の還元を行う。この還元処理としては、例えばＩＣカード１にポイントが貯まるといったことである。情報料還元装置５００においては個人情報のレベルを指定することが可能である。交通システムが一般的に使用するレベルであるところの場所、時刻、目的地の３種に限って情報を提供し、個人情報をなるべく使わない場合と、より積極的にカードＩＤ、これに登録されている年齢、性別などの個人の属性を提供する場合とがあり、このレベルに応じて情報料の還元の量が変化する。このレベルの設定、変更については非接触リーダライタ機器２の操作、もしくはインターネット経由Ｗｅｂページで可能とする。
【００２４】
また、毎回レベルを気軽に選択できる具体例としては、非接触リーダライタ機器２に非接触リーダライタを複数備え、移動する人物が毎回情報レベルを選択して、レベル別に備えた非接触リーダライタの場所にＩＣカード１をかざすことで、そのときの行動について個人情報を渡すレベルを任意に選べるシステムがある。また、その情報をどのクライアントに渡すのか、非接触リーダライタ機器２に情報表示機を備えても良い。この場合は、移動する人物が、毎回クライアントと情報レベルと還元ポイントとを選択できるシステムになる。尚、このような具体例の詳細については図２９を用いて後述する。図３の例では、図２に示す例と同様に、移動する人物の視線方向には床面表示機３０１があり、この人物の経路が広告・情報表示クライアント６００に販売されていた場合に、コンテンツが表示される。
【００２５】
図４は、通路に床面表示機３０１、壁面表示機３０２、壁掛け表示機３０３を設置した例である。ここで、壁面表示機３０２とは、通路の壁面に沿って設けられる表示機であり、壁掛け表示機３０３とは、異なる複数の方向への表示を行う複数の表示部を有し、壁面に取り付け可能な表示機である。
移動する人物の視線方向には床面表示機３０１、壁面表示機３０２、壁掛け表示機３０３があり、この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。
【００２６】
図５は、上り階段・エスカレータに、階段ステップ表示機３０４、壁掛け表示機３０３を設置した例である。ここで、階段ステップ表示機３０４とは、移動する人物が階段を上がっている場合やエスカレータの上り方向に乗っている場合にその視線方向（階段やエスカレータの垂直面）に表示部が設置された表示機である。
移動する人物の視線方向には階段ステップ表示機３０４、壁掛け表示機３０３があり、この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。
【００２７】
図６は、鉄道の旅客ホームにホーム表示機３０５、ホーム対向表示機３０６を設置した例である。
電車待ちする人物の視線方向にはホーム対向表示機３０６が、また、ホーム上にはホーム表示機３０５が設置されている。この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。
【００２８】
図７は、電車内にドア上表示機を設置した例である。
乗車する人物の視線方向にドア上表示機３０７が設置されている。尚、ホーム表示機３０５は、図６と同様の表示機である。乗車する人物の視線方向のドア上表示機３０７は、図示の乗車タイミングにおいて、乗車しようとする人に対面する表示機と考えられる。この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。全てのドア上表示機３０７に網羅的に表示する場合と、通路や階段の推測により最も可能性の高い列車ドア部だけに出す場合がある。
【００２９】
図８は、電車内にドア上表示機が設置された場合の降車時の例である。
降車する人物の視線方向にはドア上表示機３０７が設置されている。出口方向のドア上表示機３０７は、図示の乗車タイミングにおいて、降車しようとする人に対面する表示機と考えられる。また、ホーム上にはホーム表示機３０５があり、図示の乗車タイミングにおいて、これも、降車しようとする人に対面する表示機と考えられる。この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。全てのドア上表示機３０７に網羅的に表示する場合と、通路や階段の推測により最も可能性の高い列車ドア部だけに出す場合がある。
【００３０】
図９は、下り階段に壁掛け表示機３０３を設置した例である。
移動する人物の視線方向には壁掛け表示機３０３があり、登り方向とは反対側の表示部が対面する。この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物の対面に、進行方向にあわせて、コンテンツが表示される。
【００３１】
図１０は、通路に床面表示機３０１、壁面表示機３０２、壁掛け表示機３０３を図４の例と同様に設置し、移動する人物が通路の逆方向から移動した例である。
移動する人物の視線方向には床面表示機３０１、壁面表示機３０２、壁掛け表示機３０３があり、この人物の経路が広告・情報表示クライアント６００に販売されていた場合に、予め配信された蓄積コンテンツが、リアルタイム配信された表示タイミングで、さらに表示制御端末２００の自律表示スケジュール作成部２０１が生成する表示スケジュールで、移動する人物のなるべく対面に、進行方向にあわせて、コンテンツが表示される。この場合、壁掛け表示機３０３は図４の場合とは異なる表示部（移動する人物に対面する側の表示部）で表示が行われる。
【００３２】
図１１は、出口改札に床面表示機３０１を設置した例である。
移動する人物は、ＩＣカード１を改札の非接触リーダライタにかざすことで、改札ＩＤ、通過時刻、出発地、といった情報が移動経路対応情報表示装置に送信される。この情報は、指定経路枠の広告・情報表示の終了地点の情報として管理され、カードＩＤを取得しなくても、経路と時間と、移動する人数のおよその流れを類推することができる。このデータの蓄積により、移動経路推測部１０４の推測する出口改札を絞り、より効率的な情報表示が可能になってくる。移動する人物の視線方向には床面表示機３０１があり、この人物の経路が広告・情報表示クライアント６００に販売されていた場合に、コンテンツが表示される。
【００３３】
次に、図１２を用いて表示方向可変機能つき表示装置の説明を行う。
表示方向可変機能つき表示機３０８は、表示装置３００の表示の向きをモータ３０８ａなどで制御できるようにしたものである。表示タイミングデータ生成部１０９と表示方向データ生成部１０８の作るデータに従って、さらに表示制御端末２００の自律表示スケジュール作成部２０１が生成する表示スケジュールで、表示方向制御部２０８は、移動する人物のなるべく対面に、進行方向にあわせて、コンテンツが表示されるよう表示の向きを制御するためのデータを表示制御部２０７に出力する。表示装置３００の前を移動する人物を追尾するように表示制御することが目的であり、より確実に行うために顔認識画像センサ２０３を使用して測定範囲にある人物の顔の位置を測定し、座標値を使って追尾しても良い。
【００３４】
次に、図１３および図１４を用いて双方向表示装置の説明を行う。
図１３は、鏡面利用双方向表示装置を通路に設置した例を示す。図は通路を上から見たものである。左右反転表示機３０９は、折れ曲がった通路の隅部に設置されている。また、この左右反転表示機３０９の映像を反対方向から見るための鏡３０９ａが対向隅部に設置されている。このように配置された左右反転表示機３０９と鏡３０９ａに対し、人物の移動方向に対応して次のような表示制御を行う。即ち、表示タイミングデータ生成部１０９と表示方向データ生成部１０８が作成するデータに従って、さらに表示制御端末２００の自律表示スケジュール作成部２０１が生成する表示スケジュールで、例えば、図示状態において、通路左から鏡３０９ａに向かって移動する人物に対面してコンテンツを表示する場合には、左右反転表示機３０９の表示を鏡３０９ａで反射させる。この場合、反射して表示するため、左右反転表示機３０９ではコンテンツを左右反転のイメージで再生する。また、表示内容を移動させる場合は、鏡３０９ａの逆転を考慮してクロールをする必要がある。一方、図示状態において通路右から左右反転表示機３０９に向かって移動する人物に対面してコンテンツを表示する場合には、左右反転表示機３０９の表示について、左右反転せずに表示する。
【００３５】
図１４に透過型双方向表示装置を通路に設置した例を示す。図は、通路を移動する人物の視点から見たものである。透過型双方向表示機３１０は、例えば透過型ＥＬディスプレイデバイスなどで実現され、図中の（ａ）は、手前に向かって表示する例である。一方、図中の（ｂ）は、透過型双方向表示機３１０の別の表示例であり、図中、奥方向に向かって表示する例である。
このような透過型双方向表示機３１０に対して、表示タイミングデータ生成部１０９と表示方向データ生成部１０８が作成するデータに従って、さらに表示制御端末２００の自律表示スケジュール作成部２０１が生成する表示スケジュールで、例えば、（ａ）に示すように、通路手前から透過型双方向表示機３１０に向かって移動する人物に対面してコンテンツを表示する場合は、透過型双方向表示機３１０の表示を左右反転せずに表示する。一方、（ｂ）に示すように、例えば通路奥から透過型双方向表示機３１０に向かって移動する人物に対面してコンテンツを表示する場合には、コンテンツを左右反転して表示する。このように表示するために、透過型双方向表示機３１０は、コンテンツを左右反転のイメージで再生する機能を持つ。
【００３６】
次に、図１５〜図２１を用いて表示装置３００の画面分割とクロール、スクロール、画像拡大縮小機能の説明を行う。これは移動する人物の方向に合わせた表示の方法を説明するものである。
図１５は、壁面表示機３０２とホーム表示機３０５に対して適用する画面分割とクロールの例である。移動する人物に合わせて、上の分割画面は左にクロールし、下の分割画面は右にクロールする。ここで、画面分割については画面分割合成コンテンツ表示スケジュール部２１２で、また、クロール制御はクロール表示制御部２０４で制御される。移動方向に対して直角の視線となり、広告表示には適さないと見なされる表示形態でも、画面全体を人物の移動方向に合わせてクロールすることで見やすく、また方向性を与えることで、移動経路を意識したコンテンツとして認識しやすくなる効果がある。
【００３７】
図１６は、例えば各コンテンツをキャラクタで作成し、一つの画面に合成多重化した、キャラクタ合成多重化画面の例である。ここで、キャラクタの合成多重化制御は画面分割合成コンテンツ表示スケジュール部２１２で行われる。移動する人物に合わせて、各キャラクタは人物の移動方向に合わせて移動することで見やすく、また方向性を与えることで、移動経路を意識したコンテンツとして認識しやすくなる効果がある。また、キャラクタは印象に残りやすく、移動する人物が移動経路のあちこちで同じキャラクタを見かけることで情報の伝達がよくなり、例えば広告の場合は広告効果が非常に高くなる。
【００３８】
図１７は、床面表示機３０１に対する画面分割とスクロールの例である。移動する人物に合わせて、上の分割画面は下にスクロールし、下の分割画面は上にスクロールする。画面全体を人物の移動方向に合わせてクロールすることで見やすく、また方向性を与えることで、移動経路を意識したコンテンツとして認識しやすくなる効果がある。
【００３９】
図１８は、図１７の表示状態を４方向にした例である。例えば、交差点の床面表示機に使用する。移動する人物に合わせて、上の分割画面は下にスクロールし、下の分割画面は上にスクロールし、右の画面は左にクロールし、左の画面は右にクロールする。画面全体を人物の移動方向に合わせてクロールすることで見やすく、また方向性を与えることで、移動経路を意識したコンテンツとして認識しやすくなる効果がある。
【００４０】
図１９は、図１８の表示状態で４方向に対応した例について、さらに曲がって進む行動に対応した例である。移動する人物に合わせて、正対する文字列が進行方向に曲がりながらテロップ文字として流れていく。文字列を人物の移動方向に合わせて流すことで見やすく、また方向性を与えることで、移動経路を意識したコンテンツとして認識しやすくなる効果がある。
【００４１】
図２０は、上述した左右反転表示機３０９および透過型双方向表示機３１０に対して適用する画面分割とスクロールの例である。移動する人物に合わせて、上の分割画面は正対する方向に向けてコンテンツをそのまま表示し、下の分割画面は反対方向に向けて左右反転してコンテンツを表示する。
【００４２】
図２１は、表示装置３００をプロジェクタで構成した例である。図中の（ａ）は、移動する人物の表示機に対する距離に合わせて、画面全体を拡大するようにした例である。このような拡大表示を行うことで見やすくする効果がある。また、この拡大率を人物の移動に合わせて常に最適に変化させることで、遠くから近くまで移動する間の、情報を判読できる時間をより長くする効果がある。また、（ｂ）は、移動する人物の表示機に対する距離に合わせて、画面全体を縮小するようにした例である。このように、画面全体を縮小表示することで情報量を多くする効果がある。
【００４３】
次に、図２２のフローチャートを用いて表示要求端末１００によるデータ準備処理手順を説明する。
ある経路に対する広告・情報表示枠が広告・情報表示クライアント６００に売れた場合、実際の表示を始める前に、以下の手順でシステムに対し、データの準備を行っておく。
ステップＳＴ１では広告・情報表示クライアント６００から指定経路枠に対してコンテンツが通信部１０１に入稿される。このとき、入力情報データとしてはデータＤ１で表すように静止画、文字列、経路、時間帯に関するデータを得る。同時に、指定経路枠管理部１０２により、経路枠と広告・情報表示クライアント６００とを結びつける管理が行われる。同時に、分配広告料計算部１０３では、広告料と広告・情報表示クライアント６００を結びつける管理が行われる。同時に、情報料還元装置５００では還元する情報料と広告料と広告・情報表示クライアント６００を結びつける管理が行われる。
【００４４】
ステップＳＴ２では、入力情報データとしてデータＤ１から抽出する経路情報をデータＤ２として得、移動経路推測部１０４が、対面表示装置選択部１０７、表示方向データ生成部１０８、表示タイミングデータ生成部１０９によって経路上の対面表示装置を検索する。検索は登録済み表示装置リストＤ３を使用する。登録済み表示装置リストＤ３には、図２３に示すように、移動経路対応情報表示装置に備える表示装置３００が全てＩＤで登録されており、それぞれ詳細データＤ４を参照できるようになっている。詳細データＤ４の内容はその表示装置３００を制御する表示制御端末２００のＩＰアドレス、設置座標値、画面縦横サイズ、解像度、視野角と表示装置３００の向きによる表示エリア、反応速度、輝度、色数、顔認識画像センサによる時間別視聴人数、顔認識画像センサによる時間別視聴時間、設置場所の重要度等が登録されている。これらのデータは逐次変更することができ、表示装置３００から情報を受信して視野角と向きによる表示エリアや、顔認識画像センサによる情報を最新のものに書き換えることができる。設置場所の重要度とは、有名な待ち合わせ場所であったり、多くの経路が交錯する場所であったりすることに係数を与えるものである。
【００４５】
ステップＳＴ３ではデータＤ１，Ｄ３，Ｄ４から、入場改札ＩＤ毎に表示装置３００のグループを複数作成する。目的地に対して網羅的に表示装置３００をリストアップする場合と、選択的に、最も効率的にリストアップする場合がある。データＤ５は駅名のリストである。データＤ６は、図２４に示すようにデータＤ５の駅名から参照される駅ごとの入場改札ＩＤのリストである。データＤ７はデータＤ６の入場改札ＩＤから参照される目的地駅名のリストである。データＤ８はデータＤ７の駅名から参照される、即ち、経路に対応する表示装置のリストである。データＤ８には表示装置ＩＤと同時に、それらの間の想定移動時間を記録する。選択的に表示装置３００をリストアップする場合の方法として、表示装置３００を重み付けして優先的に選択する方法がある。重み付けは例えば、以下の情報の積をとって値とすることができる。
重み付けパラメータ＝画面縦横サイズ＊解像度＊表示エリア＊輝度＊色数＊視聴人数＊視聴時間＊設置場所の重要度
【００４６】
このように、重み付けパラメータとして、各表示装置３００の画面縦横サイズと、解像度と、視聴可能エリアの広さと、輝度と、色数などの積を使用することで、これまで広告が成立しなかった場所にも表示装置３００が置かれ、設置場所地権者７００に費用を広く分配することができる。
【００４７】
ステップＳＴ４ではコンテンツデータと広告表示データを作成する。図２４に示すデータＤ９はデータＤ７の駅名から参照される、即ち、経路に対応する時間別の広告ＩＤのリストである。データＤ１０はデータＤ９の広告ＩＤから参照される広告表示データであり、コンテンツＩＤ、表示時間帯、表示方向、優先度が記録される。表示方向データは経路から計算される地磁気に対する方向であり、相対方向ではない。各表示装置３００の方向と差分をとって、表示制御を行う。データＤ１１はデータＤ１０のコンテンツＩＤから参照されるコンテンツデータであり、静止画、文字列、動画などが記録される。
【００４８】
ステップＳＴ５では経路に対応する表示装置リストに入った表示装置ＩＤの表示制御端末２００に対してコンテンツデータと広告表示データを配信する。配信は蓄積データ配信部１０６が行う。尚、これらのデータは、データ量が大きくなることが予想されるため、例えば、営業時間外の深夜などにまとめて配信する。
ステップＳＴ６ではＩＣカード１の個人情報を使わずに、目的地の改札ＩＤを推測するために反対方向の帰りの時間帯の広告枠の表示のログにより、どの改札ＩＤから一番多く入場しているかを判別し、これを重み付けとして目的地の改札を選択し、前記経路に対する表示装置のリストＤ８を修正する。
【００４９】
次に、図２５のフローチャートを用いて表示要求端末１００によるリアルタイム処理について説明する。
図２２〜図２４で説明したデータの準備ができたシステムにおいて、実際に広告、情報表示を行う場合、表示要求端末１００は以下の手順でリアルタイムに処理を行う。
改札システム４００または情報料還元装置５００に、移動する人物がＩＣカード１で操作を行うことで処理が始まる。
ステップＳＴ７では、表示要求端末１００が、改札システム４００または情報料還元装置５００からデータＤ１２を受信する。データＤ１２には駅名、改札ＩＤ（機器ＩＤ）、目的地、通過時刻などの情報が含まれている。また、後述する、情報料還元装置５００を個人情報レベル対応の装置とした場合は、ＩＣカード１のカードＩＤと個人情報開示レベルがデータＤ１２に入り、別途ＩＣカード１の管理システムに問い合わせることによりレベルに応じた個人情報が開示される。また、後述する、情報料還元装置５００を広告選択対応の装置とした場合は、広告ＩＤがデータＤ１２に入る。
【００５０】
ステップＳＴ８では、データＤ１２について、この駅名から目的地までの、この時間帯の広告枠が売れているかを判別する。広告・情報表示クライアント６００に指定経路枠が売れると、コンテンツと時間帯の条件がクライアントＩＤと共に指定経路枠管理部１０２により登録されているので、判別ができる。売れていない場合にはフローチャートの始めに戻り、売れている場合にはステップＳＴ９に進む。
ステップＳＴ９では、経路に対応する表示装置リストに乗っている表示装置ＩＤから詳細データをアクセスし、表示制御端末２００のアドレスに対して表示スケジュール作成用データを送る。表示スケジュール作成用データＤ１３は、通過時刻に経路に対応する表示装置リストに乗っている移動時間を加えた時刻と、広告ＩＤである。
【００５１】
以上のように、複数の表示要求端末１００のリアルタイム配信部１０５が複数の表示制御端末２００に対してそれぞれリアルタイム配信データを送る。この処理は、改札システム４００または情報料還元装置５００に、移動する人物がＩＣカード１で操作を行う度に行う。各表示要求端末１００、表示制御端末２００は非同期で動作するため、表示制御端末２００には自律表示スケジュール作成部２０１が必要になる。
【００５２】
次に、図２６のフローチャートによって表示制御端末２００のオンライン、リアルタイム自律表示処理を説明する。
ステップＳＴ１０では表示要求端末１００から情報を受信する。この情報は上述した表示スケジュール作成用データＤ１３であり、非同期に受信するデータＤ１３をまとめたデータがＤ１４のリアルタイム配信データである。
ステップＳＴ１１では現在の表示スケジュールの１単位を表示中に、次の表示スケジュールを作成する。データＤ１４と、予め配信されている蓄積データＤ１５を使用する。蓄積データＤ１５の内容は上述した広告表示データＤ１０と、これに参照されるコンテンツデータＤ１１、これらデータＤ１０とデータＤ１１のセットが複数蓄積されたものである。
【００５３】
次に、経路が重なるなど、次に表示するコンテンツの候補が複数存在する場合、ステップＳＴ１２では以下のように対処する。
１）時間分割して短時間の表示にする
２）画面分割、画面合成して表示面積を少なくする
３）優先度により表示時間、表示面積の重み付けを行う
４）方向性を活かしてコンテンツにクロール、スクロール効果をつける
５）方向性を活かす反転コンテンツを表示する
【００５４】
次に、ステップＳＴ１３では顔認識画像センサつき表示装置の場合、顔の移動に合わせて表示方向を変化させる。
次に、ステップＳＴ１４では表示方向可変機能つき表示装置の場合、タイミングを合わせて表示方向を変化させる。
次に、ステップＳＴ１５では各コンテンツＩＤに対して、表示時間と表示面積の結果を記録し、ログを一定のタイミングで図示しないセンタに送信する。
以上が表示制御端末２００のオンライン、リアルタイム自律表示処理のフローである。
【００５５】
次に、図２７を使用して移動経路対応情報表示装置のビジネスモデルの情報の流れについて説明する。
プレイヤは、７者を想定する。移動する人物１１はエンドユーザと考えられ、例えば鉄道を利用して通勤するＩＣカード定期券の利用者である。移動する人物１１は、ＩＣカード定期券を改札システムの非接触リーダライタにかざし、ＩＣカードのＩＤ、通過時間、目的地の情報を改札システム事業者１２に伝える。改札システム事業者１２は、例えば鉄道事業者であり、移動する人物１１が改札を通過したときに、改札ＩＤと、通過時刻と、目的地の情報を表示事業者１３に伝える。伝えてよい個人情報のレベルが設定されていた場合には、ＩＣカードのＩＤから参照される情報を表示事業者１３に伝える。情報料還元システム事業者１４は、情報料還元装置５００の管理者であり、移動する人物１１が情報料還元装置５００を操作したときに、機器ＩＤと、操作時刻と、目的地の情報を表示事業者１３に伝える。同時に、個人情報の開示レベル、情報量還元ポイント、選択広告ＩＤが設定されていた場合には、表示事業者１３に伝える。ＩＣカードのＩＤから参照される情報を改札システム事業者１２から参照できる場合は、個人情報の開示レベルによってＩＣカードのＩＤを表示事業者１３に伝えてもよい。
【００５６】
情報料還元システム事業者１４は、移動する人物１１が情報料還元装置５００を操作したときに、情報料の還元ポイントをＩＣカードのＩＤ別に与える。このポイントはＩＣカードに記録する場合と、別途図示しないサーバに記録され、インターネット経由で確認する場合がある。広告クライアント１５は、コンテンツ、経路、時間帯、広告費情報、といった情報を表示事業者１３に伝え、指定経路枠を購入する。表示事業者１３は表示装置リスト、表示面積・回数・時間、課金情報、といった情報を広告クライアント１５に伝える。また、広告クライアント１５は、表示装置所有者１６に、表示装置リスト、表示面積・回数・時間、使用料、といった情報を伝え、表示装置所有者１６は、設置場所地権者１７に、表示装置リスト、表示面積・回数・時間、使用料、といった情報を伝える。
【００５７】
次に、図２８を使用して移動経路対応情報表示装置のビジネスモデルの費用の流れについて説明する。
プレイヤは、図２７と同様の７者を想定する。移動する人物１１はＩＣカード定期券の購入費用を改札システム事業者１２に払う。改札システム事業者１２は表示事業者１３から情報提供料を受け取り、一部を移動する人物１１に還元する。
情報料還元システム事業者１４は、表示事業者１３から情報提供料を受け取り、一部を移動する人物１１に還元する。同時に、情報料の一部を表示装置所有者１６と設置場所地権者１７に払う場合もある。
広告クライアント１５は、広告掲載料を表示事業者１３に払い、指定経路枠を購入する。表示事業者１３は、表示装置所有者１６、設置場所地権者１７に使用料を支払う。
移動する人物１１は、広告クライアント１５の広告を見て物品、サービスを購入し、購入費用が広告クライアント１５に還元される。
【００５８】
次に、図２９を使用して情報料還元装置５００の実施例を説明する。
情報料還元装置５００は非接触リーダライタ機器２によって構成する。
非接触リーダライタ機器２の操作パネル２０の左部分２１には個人情報レベルと対応する情報料還元ポイントを関連付け、縦軸に沿ってレベル分けしている。この部分は変更が少ないと考えられる場合は印字し、変更が多いと考えられる場合はＬＣＤなどの表示機で構成する。移動する人物は縦軸で個人情報レベルと還元ポイントの組を選択する。
操作パネル２０の右上部分２２には、クライアント・広告に対応する情報料の掛け率を横軸に沿ってレベル分けしている。この部分は変更が少ないと考えられる場合は印字し、変更が多いと考えられる場合はＬＣＤなどの表示機で構成する。移動する人物は横軸で広告とクライアントと、還元ポイントの掛け率を選択する。
【００５９】
また、操作パネル２０には、左部分２１を縦軸とし、右上部分２２の横軸とするマトリクス状に表示機器２３と非接触リーダライタ２４の組が格子状に並べられている。表示機器２３にはクライアントの紹介や広告が表示される。図２９では、例えば、左上の広告の場合、消費者金融Ａ社の広告が社名と共に流れ、この表示機器２３にＩＣカード１をかざすと非接触リーダライタ２４によりＩＣカード１のＩＤが非接触リーダライタ機器２に読み込まれる。非接触リーダライタ機器２は、ＩＣカード１のＩＤ、操作時刻、個人情報提供レベル（メールアドレスの開示）、ポイント３０×２０ポイント付加、広告ＩＤ、といった情報を情報料還元装置５００経由で表示要求端末１００に伝える。
移動する人物のＩＣカード１には６０ポイントが付与されるが、ＩＣカード１の定期券の目的地まで、消費者金融Ａ社の広告が表示され、メールアドレスに対しいくつかの広告メールが届く。
【００６０】
このように、ＩＣカード１を非接触リーダライタ２４にかざすことで、非接触リーダライタ機器２の機器ＩＤ、通過時刻、目的地、といった情報が移動経路対応情報表示装置に通信される。同時に情報の見返りとして、ＩＣカード１に対し、情報料の還元を受けることができ、例えばＩＣカード１にポイントが貯まる。
非接触リーダライタ機器２に非接触リーダライタ２４を複数備え、移動する人物が毎回情報レベルを気軽に選択して、レベル別に備えた非接触リーダライタ２４の場所にＩＣカード１をかざすことで、そのときの行動について個人情報を渡すレベルを任意に選べるシステムとなる。また、その情報をどのクライアントに渡すのか、非接触リーダライタ機器２に表示機器２３を備えているので、移動する人物が、毎回クライアントと情報レベルと還元ポイントを選択できるシステムになる。
【００６１】
例えば、移動する人物が、場所、時刻、目的地の３種に限って情報を提供し、個人情報をなるべく使わない場合と、より積極的にカードＩＤ、これに登録されている年齢、性別などの個人の属性を提供する場合とがあり、このレベルに応じて情報料の還元の量が変化するものとした場合、このレベルの設定、変更について非接触リーダライタ２４の操作によって簡単に選ぶことができる。
【００６２】
以上のように、実施の形態１の移動経路対応情報表示装置によれば、移動経路上の複数の場所に設けられ、それぞれが情報を表示する複数の表示装置と、複数の表示装置を制御する表示制御端末と、表示制御端末に対して表示要求を行う表示要求端末とを備え、表示要求端末は、移動する人物が有する情報記録媒体から読み取られた情報に基づき、移動する人物の場所と通過時刻と目的地の情報を取得する通信部と、情報表示要求を行うクライアントに対し、情報表示の経路枠を設定する指定経路枠管理部と、表示装置における情報の表示結果ログを元に前記クライアントの情報表示料を計算する分配広告料計算部と、通信部で取得した移動する人物の場所と通過時刻と目的地の情報に基づいて移動する人物の移動経路を推測する移動経路推測部と、移動経路推測部に設けられ、推測した移動経路における複数の表示装置のうち、移動方向に対面する表示装置を選択する対面表示装置選択部と、移動経路推測部に設けられ、推測した移動経路における複数の表示装置に対する情報表示の表示方向データを生成する表示方向データ生成部と、移動経路推測部に設けられ、推測した移動経路における複数の表示装置に対する情報表示の表示タイミングデータを生成する表示タイミングデータ生成部と、通信部が順次取得する情報に合わせて、指定経路枠管理部で管理する情報のデータを、表示タイミングデータと共に、表示制御端末に配信するリアルタイム配信部と、クライアントが表示要求した情報のデータを、表示方向データと共に、表示制御端末に配信する蓄積データ配信部とを有し、表示制御端末は、リアルタイム配信部から配信される情報の表示スケジュールを作成する自律表示スケジュール作成部と、自律表示スケジュール作成部が作成した表示スケジュールに基づいて、移動経路推測部で推測した移動経路上の表示装置に対して、表示方向データの表示方向で情報表示制御を行う表示制御部を有するようにしたので、例えば、ある改札から目的地まで移動する人物に対し、その経路において次々と情報を表示でき、人の移動に合わせた移動経路を枠とする広告や、情報表示をサービスとして提供できる。その結果、移動する人物に対して、よりきめ細かい情報提供を行うことができると共に、クライアントにとって、広告効果を高めることができる。
【００６３】
また、実施の形態１の移動経路対応情報表示装置によれば、移動する人物を認識する顔認識画像センサと、顔認識画像センサの認識結果に基づいて、表示装置の前を移動する人物を追尾するように表示座標を計算するターゲット座標計算部とを備え、表示制御部は、ターゲット座標計算部における計算結果に基づいて、表示装置で表示する情報の表示方向を制御するようにしたので、例えば、表示装置における表示方向をクロール・スクロール制御、またはテロップ文字の方向を自由に制御して流れさせることができ、より効果的な情報表示を実現することができる。
【００６４】
また、実施の形態１の移動経路対応情報表示装置によれば、表示装置を表示方向可変機能付き表示機とし、かつ、表示タイミングデータと表示方向データとに基づいて、移動する人物を追尾するよう表示方向可変機能付き表示機の表示方向をいずれかの方向に制御する表示方向制御部を備えたので、より効果的な情報表示を実現することができる。
【００６５】
また、実施の形態１の移動経路対応情報表示装置によれば、表示装置を、任意の方向への表示を行うと共に鏡に反射させて任意の方向とは異なる方向への表示を行う双方向表示装置、または、透過型表示装置とすると共に、コンテンツを反転したイメージに処理する反転イメージ処理部を備え、表示制御部は、表示タイミングデータと表示方向データに基づいて、反転イメージ処理部が出力する反転イメージか、そのままの表示かを選択してコンテンツの表示制御を行うようにしたので、より効果的な情報表示を実現することができる。
【００６６】
また、実施の形態１の移動経路対応情報表示装置によれば、移動する人物の出口改札を識別する改札ＩＤと、その時刻と出発地の情報を取得する改札システムを備え、移動経路推測部は、改札システムからの情報を蓄積し、これら蓄積情報に基づいて移動経路を推測するようにしたので、例えば、移動する人物のカードＩＤなど個人特定情報を取得しなくても、経路と時間と、移動する人数のおよその流れを類推でき、個人情報保護の観点から、個人を特定するデータの使用をなるべく避けて、安心感のあるシステムを実現することができる。
【００６７】
また、実施の形態１の移動経路対応情報表示装置によれば、移動する人物の出口改札を識別する改札ＩＤと、その時刻と出発地の情報を取得する改札システムを備え、移動経路推測部は、反対方向の経路枠の表示のログに基づいて目的地の出口改札を算出するための重み付けを行って移動経路を推測するようにしたので、個人特定情報を使わずに、目的地の改札ＩＤを推測することができ、個人情報保護の観点から安心感のあるシステムを実現することができる。
【００６８】
また、実施の形態１の移動経路対応情報表示装置によれば、表示装置の表示内容の解像度を制御する拡大縮小処理部を備え、表示制御部は、表示タイミングデータと表示方向データとに基づいて、表示装置に対して移動する人物が遠い場合は拡大表示を行い、近づいた場合は縮小表示で情報量を多くするよう制御するようにしたので、より効果的な情報表示を実現することができる。
【００６９】
また、実施の形態１の移動経路対応情報表示装置によれば、移動する人物の情報記録媒体に含まれる情報を読み取ることにより、移動する人物の場所と通過時刻と目的地の情報を取得すると共に、読み取った情報の見返りとしての情報料の還元データを情報記録媒体に対して送信する情報料還元装置を備えたので、情報表示を行うと共に、情報料の還元を行うシステムを実現することができる。
【００７０】
また、実施の形態１の移動経路対応情報表示装置によれば、情報料還元装置は、情報の提供度に応じて還元量が異なるよう設定したので、より的確な情報料の還元を行うことができる。
【００７１】
また、実施の形態１の移動経路対応情報表示装置によれば、情報料還元装置は、情報の提供度に応じた複数の情報読取部を有するようにしたので、個人情報を渡すレベルを任意に選ぶことができる。
【００７２】
また、実施の形態１の移動経路対応情報表示装置によれば、複数の情報読取部は、それぞれどのクライアントに情報を渡すかを示すようにしたので、移動する人物が、毎回クライアントと情報レベルと情報料の還元量を簡単に選択できるシステムを実現することができる。
【００７３】
また、実施の形態１の移動経路対応情報表示装置によれば、情報料還元装置は、移動経路を選択するための表示部を備え、選択された移動経路を移動経路推測部に送信するようにしたので、移動する人物が、情報料の還元量に応じて移動経路を自由に選択することができ、また、移動経路の推測の精度を高めることができる。
【００７４】
また、実施の形態１の移動経路対応情報表示装置によれば、分配広告料計算部は、経路枠の表示のログを元に情報表示料を計算すると共に、少なくとも表示装置の表示エリアの大きさを含む表示装置の条件に基づいて、情報表示料の重み付けを行うようにしたので、表示装置の条件に応じた広告料の算出を行うことができる。
【００７５】
また、実施の形態１の移動経路対応情報表示装置によれば、表示制御端末は、表示装置に表示するコンテンツを合成して表示させるようにしたので、より効果的な情報表示を行うことができる。
【００７６】
また、実施の形態１の移動経路対応情報表示装置によれば、表示制御端末は、別々のコンテンツにそれぞれ対応したキャラクタを合成多重化して一つの画面として表示させるようにしたので、より効果的な情報表示を行うことができると共に、情報が広告の場合は高い広告効果を得ることができる。
【符号の説明】
【００７７】
１  ＩＣカード、２  非接触リーダライタ機器、１００  表示要求端末、１０１  通信部、指定経路枠管理部、１０３  分配広告料計算部、１０４  移動経路推測部、１０５  リアルタイム配信部、１０６  蓄積データ配信部、１０７  対面表示装置選択部、１０８  表示方向データ生成部、１０９  表示タイミングデータ生成部、２００  表示制御端末、２０１  自律表示スケジュール作成部、２０２  ターゲット座標計算部、２０３  顔認識画像センサ、２０４  クロール表示制御部、２０５  反転イメージ処理部、２０６  拡大縮小処理部、２０７  表示制御部、２０８  表示方向制御部、２０９  表示結果ログ作成部、２１０  表示結果アップロード部、３００  表示装置、３０１  底面表示機、３０２  壁面表示機、３０３  壁掛け表示機、３０４  階段ステップ表示機、３０５  ホーム表示機、３０６  ホーム対向表示機、３０７  ドア上表示機、３０８  表示方向可変機能つき表示機、３０９  左右反転表示機、３０９ａ  鏡、３１０  透過型双方向表示機、４００  改札システム、５００  情報料還元装置、６００  広告・情報表示クライアント、７００  設置場所地権者。
【図１】
2010276700.tif 000003
【図２】
2010276700.tif 000004
【図３】
2010276700.tif 000005
【図４】
2010276700.tif 000006
【図５】
2010276700.tif 000007
【図６】
2010276700.tif 000008
【図７】
2010276700.tif 000009
【図８】
2010276700.tif 000010
【図９】
2010276700.tif 000011
【図１０】
2010276700.tif 000012
【図１１】
2010276700.tif 000013
【図１２】
2010276700.tif 000014
【図１３】
2010276700.tif 000015
【図１４】
2010276700.tif 000016
【図１５】
2010276700.tif 000017
【図１６】
2010276700.tif 000018
【図１７】
2010276700.tif 000019
【図１８】
2010276700.tif 000020
【図１９】
2010276700.tif 000021
【図２０】
2010276700.tif 000022
【図２１】
2010276700.tif 000023
【図２２】
2010276700.tif 000024
【図２３】
2010276700.tif 000025
【図２４】
2010276700.tif 000026
【図２５】
2010276700.tif 000027
【図２６】
2010276700.tif 000028
【図２７】
2010276700.tif 000029
【図２８】
2010276700.tif 000030
【図２９】
2010276700.tif 000031